【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】  フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とを比較する比較工程と、
前記閾値を越える容量となるフレーム群に対して、前記閾値と前記フレーム群の容量との差に基づいた枚数のフレームを前記フレーム群から削除して、前記フレーム群の容量を前記閾値以下にする工程であって、フレームの削除による動画像データの画像品質の低下が少ないフレームを優先的に削除する削除工程とを含むことを特徴とする動画像処理方法。
【請求項２】  前記削除工程において、他のフレームからの参照度合いが低いフレームから順次削除することを特徴とする請求項１記載の動画像処理方法。
【請求項３】  前記削除工程において、削除されるべきフレームの枚数に基づいて、削除するフレームを決定することを特徴とする請求項１または２記載の動画像処理方法。
【請求項４】  フレーム群に含まれる全フレームの枚数を、削除されるべきフレームの枚数で除したときの商よりも１枚少ない最小削除フレーム間枚数以上のフレームが、削除されるフレームの間に残存するように、削除するフレームを決定することを特徴とする請求項３記載の動画像処理方法。
【請求項５】  閾値は、伝送元から伝送先への伝送路の伝送速度に基づいて設定され、
比較工程では、フレーム群の容量を前記フレーム群の瞬間符号化ビットレートに基づいて算出し、前記閾値とフレーム群の容量とを比較することを特徴とする請求項１〜４のいずれかに記載の動画像処理方法。
【請求項６】  閾値は、伝送元から伝送先への伝送路の伝送速度に基づいて設定され、
比較工程では、フレーム群の容量を動画像の平均符号化ビットレートに基づいて算出し、前記閾値とフレーム群の容量とを比較することを特徴とする請求項１〜４のいずれかに記載の動画像処理方法。
【請求項７】  動画像データを伝送元から、バッファを有する伝送先に伝送する場合に、閾値は、前記伝送先からのフィードバック情報に基づいて設定されることを特徴とする請求項１〜４のいずれかに記載の動画像処理方法。
【請求項８】  前記フィードバック情報は、前記バッファの空き容量であることを特徴とする請求項７記載の動画処理方法。
【請求項９】  請求項１〜８のいずれかに記載の動画像処理方法をコンピュータに実行させるためのプログラム。
【請求項１０】  フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とを比較する比較手段と、
前記閾値を越える容量となるフレーム群に対して、前記閾値と前記フレーム群の容量との差に基づいた枚数のフレームを前記フレーム群から削除して、前記フレーム群の容量を前記閾値以下にする手段であって、フレームの削除による動画像データの画像品質の低下が少ないフレームを優先的に削除する削除手段とを含むことを特徴とする動画像処理装置。
【請求項１１】  フレーム内符号化方式で符号化されるフレーム内符号化フレームと、時間的に過去および未来の少なくともいずれか一方のフレームを参照して符号化される参照フレームとを含むフレーム群を有する動画像データを、伝送路を介して接続される端末装置に伝送する動画像伝送装置であって、
前記動画像データにおけるフレーム群の容量と、予め定める閾値とを比較する比較手段と、
前記閾値を越える容量となるフレーム群に対して、前記閾値と前記フレーム群の容量との差に基づいた枚数のフレームを前記フレーム群から削除して、前記フレーム群の容量を前記閾値以下にする手段であって、フレームの削除による動画像データの画像品質の低下が少ないフレームを優先的に削除する削除手段と、
前記動画像データを伝送路を介して伝送する伝送手段とを含むことを特徴とする動画像伝送装置。
【手続補正２】
【補正対象書類名】明細書
【補正対象項目名】００１７
【補正方法】変更
【補正の内容】
【００１７】
【課題を解決するための手段】
本発明は、フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とを比較する比較工程と、
前記閾値を越える容量となるフレーム群に対して、前記閾値と前記フレーム群の容量との差に基づいた枚数のフレームを前記フレーム群から削除して、前記フレーム群の容量を前記閾値以下にする工程であって、フレームの削除による動画像データの画像品質の低下が少ないフレームを優先的に削除する削除工程とを含むことを特徴とする動画像処理方法である。
【手続補正３】
【補正対象書類名】明細書
【補正対象項目名】００１８
【補正方法】変更
【補正の内容】
【００１８】
本発明に従えば、比較工程では、フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とが比較される。削除工程では、前記閾値を越える容量となるフレーム群に対して、前記閾値と前記フレーム群の容量との差に基づいた枚数のフレームを前記フレーム群から削除されて、前記フレーム群の容量を前記閾値以下になる。このように前記閾値を越える容量となるフレーム群の容量を前記閾値以下にすることによって、動画像データの容量を小さくすることができる。また前記閾値以下の容量となるフレーム群に対しては、当該フレーム群に含まれるフレームを削除しないで、前記閾値を越える容量となるフレーム群に対してだけ、フレームの削除による動画像データの画像品質の低下が少ないフレームを優先的に削除するので、動画像データの画像品質の低下を、可及的に少なくすることができる。このように動画像データの画像品質の低下を可及的に少なくして、各フレーム群の容量を前記閾値以下にして、動画像データの容量を小さくすることができる。このような処理が施された動画像データにおいて、全てのフレーム群の容量は、前記閾値以下になるので、たとえば前記動画像データを伝送元から伝送先に伝送するとき、伝送路の伝送速度に対応させて閾値を設定して、容量が前記閾値を超えるフレーム群のフレームを削除した動画像データを円滑に伝送することができる。
【手続補正４】
【補正対象書類名】明細書
【補正対象項目名】００２９
【補正方法】変更
【補正の内容】
【００２９】
また本発明は、動画像データを伝送元から、バッファを有する伝送先に伝送する場合に、閾値は、前記伝送先からのフィードバック情報に基づいて設定されることを特徴とする。
また本発明は、前記フィードバック情報は、前記バッファの空き容量であることを特徴とする。
【手続補正５】
【補正対象書類名】明細書
【補正対象項目名】００３０
【補正方法】変更
【補正の内容】
【００３０】
本発明に従えば、動画像データを伝送元から、バッファを有する伝送先に伝送する場合に、閾値は前記伝送先からのフィードバック情報、たとえば前記バッファの空き容量に基づいて設定される。これによって動画像データを伝送元から伝送先に伝送するときに、伝送先の伝送された動画像データを処理する速度が、動画像データの伝送速度よりも遅く、バッファが動画像データで満たされてしまって、バッファがさらに伝送されてくる動画像データを蓄積できなくなるバッファオーバーラン、および伝送先の動画像データを処理する速度が、動画像データの伝送速度よりも速く、バッファに動画像データが蓄積されなくなって、伝送先が動画像データを処理できなくなるバッファアンダーランが起こることを確実に防止することができる。
【手続補正６】
【補正対象書類名】明細書
【補正対象項目名】００３３
【補正方法】変更
【補正の内容】
【００３３】
また本発明は、フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とを比較する比較手段と、
前記閾値を越える容量となるフレーム群に対して、前記閾値と前記フレーム群の容量との差に基づいた枚数のフレームを前記フレーム群から削除して、前記フレーム群の容量を前記閾値以下にする手段であって、フレームの削除による動画像データの画像品質の低下が少ないフレームを優先的に削除する削除手段とを含むことを特徴とする動画像処理装置である。
【手続補正７】
【補正対象書類名】明細書
【補正対象項目名】００３４
【補正方法】変更
【補正の内容】
【００３４】
本発明に従えば、比較手段によって、フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とが比較される。削除手段によって、前記閾値を越える容量となるフレーム群に対して、前記閾値と前記フレーム群の容量との差に基づいた枚数のフレームを前記フレーム群から削除されて、前記フレーム群の容量を前記閾値以下になる。このように前記閾値を越える容量となるフレーム群の容量を前記閾値以下にすることによって、動画像データの容量を小さくすることができる。また前記閾値以下の容量となるフレーム群に対しては、当該フレーム群に含まれるフレームを削除しないで、前記閾値を越える容量となるフレーム群に対してだけ、フレームの削除による動画像データの画像品質の低下が少ないフレームを優先的に削除するので、動画像データの画像品質の低下を、可及的に少なくすることができる。このように動画像データの画像品質の低下を可及的に少なくして、各フレーム群の容量を前記閾値以下にして、動画像データの容量を小さくすることができる。このような処理が施された動画像データにおいて、全てのフレーム群の容量は、前記閾値以下になるので、たとえば前記動画像データを伝送元から伝送先に伝送するとき、伝送路の伝送速度に対応させて閾値を設定して、容量が前記閾値を超えるフレーム群のフレームを削除した動画像データを円滑に伝送することができる。
【手続補正８】
【補正対象書類名】明細書
【補正対象項目名】００３５
【補正方法】変更
【補正の内容】
【００３５】
また本発明は、フレーム内符号化方式で符号化されるフレーム内符号化フレームと、時間的に過去および未来の少なくともいずれか一方のフレームを参照して符号化される参照フレームとを含むフレーム群を有する動画像データを、伝送路を介して接続される端末装置に伝送する動画像伝送装置であって、
前記動画像データにおけるフレーム群の容量と、予め定める閾値とを比較する比較手段と、
前記閾値を越える容量となるフレーム群に対して、前記閾値と前記フレーム群の容量との差に基づいた枚数のフレームを前記フレーム群から削除して、前記フレーム群の容量を前記閾値以下にする手段であって、フレームの削除による動画像データの画像品質の低下が少ないフレームを優先的に削除する削除手段と、
前記動画像データを伝送路を介して伝送する伝送手段とを含むことを特徴とする動画像伝送装置である。
【手続補正９】
【補正対象書類名】明細書
【補正対象項目名】００３６
【補正方法】変更
【補正の内容】
【００３６】
本発明に従えば、比較手段によって、フレーム内符号化方式で符号化されるフレーム内符号化フレームと、時間的に過去および未来の少なくともいずれか一方のフレームを参照して符号化される参照フレームとを含むフレーム群を有する動画像データにおけるフレーム群の容量と、予め定める閾値とが比較される。削除手段によって、前記閾値を越える容量となるフレーム群に対して、前記閾値と前記フレーム群の容量との差に基づいた枚数のフレームを前記フレーム群から削除されて、前記フレーム群の容量を前記閾値以下になる。このように前記閾値を越える容量となるフレーム群の容量を前記閾値以下にすることによって、動画像データの容量を小さくすることができる。また前記閾値以下の容量となるフレーム群に対しては、当該フレーム群に含まれるフレームを削除しないで、前記閾値を越える容量となるフレーム群に対してだけ、フレームの削除による動画像データの画像品質の低下が少ないフレームを優先的に削除するので、動画像データの画像品質の低下を、可及的に少なくすることができる。このように動画像データの画像品質の低下を可及的に少なくして、各フレーム群の容量を前記閾値以下にして、動画像データの容量を小さくすることができる。伝送手段によって、前記動画像データが伝送路を介して接続される端末装置に伝送される。このように伝送手段によって伝送される動画像データにおいて、全てのフレーム群の容量は、前記閾値以下になるので、動画像データを前記端末装置に円滑に伝送することができる。